【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、ここにおいて、前記競合ウィドウサイズがアップリンク（ＵＬ）送信機会に対応し、
１つまたは複数のキャリア上で前記第１の送信を送信することと、
を備える、ワイヤレス通信のための方法。
【請求項２】
前記第１のパラメータが、１つまたは複数の送信機会のためのハイブリッド自動再送要求（ＨＡＲＱ）フィードバックを備え、
前記第１の競合ウィンドウ調整値が、前記ＨＡＲＱフィードバック中の否定応答（ＮＡＣＫ）の数に少なくとも部分的に基づき、
前記第１の重み付けファクタが、前記ＨＡＲＱフィードバックが多重化モードにあるかどうかに少なくとも部分的に基づき、
前記多重化モードでの肯定応答（ＡＣＫ）またはＮＡＣＫの数を報告することをさらに備え、ここにおいて、前記第１の重み付けファクタが、前記ＨＡＲＱフィードバック中のＮＡＣＫの前記数に少なくとも部分的に基づく、請求項１に記載の方法。
【請求項３】
前記第１のパラメータが、少なくとも１つの報告されない肯定応答を備え、報告されるＮＡＣＫの場合とは別様に、前記少なくとも１つの報告されない肯定応答について前記第１の競合ウィンドウ調整値に前記第１の重み付けファクタを適用することをさらに備える、または、
前記第１のパラメータが、少なくとも１つの報告されない肯定応答を備え、報告されるＮＡＣＫと同様にして、前記少なくとも１つの報告されない肯定応答について前記第１の競合ウィンドウ調整値に前記第１の重み付けファクタを適用することをさらに備える、請求項１に記載の方法。
【請求項４】
前記第１のパラメータを決定することは、物理アップリンク制御チャネル（ＰＵＣＣＨ）が正常に復号されたかどうかを決定することを備える、請求項１に記載の方法。
【請求項５】
前記競合ウィンドウサイズは、前記ＵＬ送信機会が、自己スケジュールされるのかクロスキャリアスケジュールされるのかに少なくとも部分的に基づいて調整される、請求項１に記載の方法。
【請求項６】
前記競合ウィンドウサイズが前記１つまたは複数のキャリアについて異なる、請求項１に記載の方法。
【請求項７】
各キャリアについてハイブリッド自動再送要求（ＨＡＲＱ）フィードバックを通して否定応答（ＮＡＣＫ）の数を受信することと、
すべてのキャリアについてＮＡＣＫの前記数に少なくとも部分的に基づいて前記第１の競合ウィンドウ調整値を決定することと、
すべてのキャリアについて第２の送信のための前記競合ウィンドウサイズを調整することと、ここにおいて、前記競合ウィンドウサイズがすべてのキャリアについて同じである、
をさらに備える、請求項１に記載の方法。
【請求項８】
前記１つまたは複数のキャリアが、１次キャリアと１つまたは複数の２次キャリアとを備え、前記方法が、前記１次キャリアに関連するバックオフタイマーを開始することをさらに備え、ここにおいて、前記バックオフタイマーが前記１つまたは複数の２次キャリアに適用される、請求項１に記載の方法。
【請求項９】
前記１つまたは複数の２次キャリアが、前記１次キャリアに対して所定の周波数分離内にあり、ここにおいて、前記１つまたは複数の２次キャリアが、ライセンスされていない情報インフラストラクチャ無線帯域中にある、または、ここにおいて、２次キャリアの総数が、前記重み付けされた第２の競合ウィンドウ調整値に少なくとも部分的に基づいて調整された所定の数よりも少ない、請求項８に記載の方法。
【請求項１０】
前記第１のパラメータに関連する許可が有効な許可であるかどうかに少なくとも部分的に基づいて、前記第１の競合ウィンドウ調整値に前記第１の重み付けファクタを適用すること
をさらに備える、請求項１に記載の方法。
【請求項１１】
前記第１の送信のキャリアとは異なるキャリア上で前記第２の送信を送信することと、
前記競合ウィンドウサイズをリセットすることを控えることと、
をさらに備える、請求項１に記載の方法。
【請求項１２】
前記第１の送信が１つまたは複数のＵＥに送られ、前記方法が、前記第２の送信の後の経過持続時間に少なくとも部分的に基づいて前記競合ウィンドウサイズをリセットすることをさらに備える、請求項１に記載の方法。
【請求項１３】
前記第１の送信に関連する前記第１のパラメータを決定することが、前記第１の送信に少なくとも部分的に基づいて、１つまたは複数のＵＥの各々から少なくとも１つの肯定応答（ＡＣＫ）インジケーションを受信することをさらに備える、請求項１に記載の方法。
【請求項１４】
前記第１の送信に少なくとも部分的に基づいて、肯定応答（ＡＣＫ）および否定応答（ＮＡＣＫ）インジケーションを受信することと、
前記第１の送信に関連する前記第１のパラメータを決定することと、ここにおいて、前記第１のパラメータが、サポートされるユーザ機器（ＵＥ）の総数に対するＡＣＫの割合を含む、
をさらに備える、請求項１に記載の方法。
【請求項１５】
前記第１のパラメータに関連する、送信機会のサイズまたはリソース割振りに少なくとも部分的に基づいて、前記第１の競合ウィンドウ調整値に前記第１の重み付けファクタを適用すること、または、
前記第１のパラメータに関連するブロックエラーレート（ＢＬＥＲ）ターゲットに少なくとも部分的に基づいて、前記第１の競合ウィンドウ調整値に前記第１の重み付けファクタを適用すること
をさらに備える、請求項１に記載の方法。
【請求項１６】
ＵＥの数がしきい値よりも大きく、前記方法が、所定の割合のＵＥから少なくとも１つのＡＣＫインジケーションを受信することをさらに備える、請求項１に記載の方法。
【請求項１７】
前記第１の送信が１つまたは複数のＵＥに送られ、前記方法が、前記１つまたは複数のＵＥのための前記競合ウィンドウサイズに少なくとも部分的に基づいて、前記１つまたは複数のＵＥをＵＥの１つまたは複数のグループに分割することをさらに備え、
前記方法が、ＵＥの前記１つまたは複数のグループのためのカウンタをランダムに生成することと、
ＵＥの前記１つまたは複数のグループのための前記カウンタを開始することと、
それらのカウンタが満了したＵＥのグループに前記第２の送信を送信することと、
をさらに備える、請求項１に記載の方法。
【請求項１８】
キャリアアグリゲーション構成、多地点協調構成、前記第１のパラメータがブロードキャストチャネルに対応するかどうか、または前記第１のパラメータが干渉消去をインプリメントするまたはインプリメントすることが可能なユーザ機器（ＵＥ）に対応するかどうかに少なくとも部分的に基づいて、前記第１の競合ウィンドウ調整値に前記第１の重み付けファクタを適用すること
をさらに備える、請求項１に記載の方法。
【請求項１９】
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算され、前記競合ウィンドウサイズがアップリンク（ＵＬ）送信機会に対応し、
前記競合ウィンドウサイズに少なくとも部分的に基づいて、クリアチャネルアセスメントを実行することと、
を備える、ワイヤレス通信のための方法。
【請求項２０】
第１の送信に関連する第１のパラメータを決定するための手段と、
前記第１のパラメータに少なくとも部分的に基づいて、第１の競合ウィンドウ調整値を決定するための手段と、
前記第１の競合ウィンドウ調整値に第１の重み付けファクタを適用するための手段と、
前記重み付けされた第１の競合ウィンドウ調整値に少なくとも部分的に基づいて、第２の送信のための競合ウィンドウサイズを調整するための手段と、ここにおいて、前記競合ウィドウサイズがアップリンク（ＵＬ）送信機会に対応し、
１つまたは複数のキャリア上で前記第１の送信を送信するための手段と、
を備える、ワイヤレス通信のための装置。
【請求項２１】
基地局にメッセージを送信するための手段と、
前記基地局から競合ウィンドウサイズを受信するための手段と、ここにおいて、前記競合ウィンドウサイズが、前記メッセージに少なくとも部分的に基づいて、第１の競合ウィンドウ調整値に適用される第１の重み付けファクタを使用して計算され、前記競合ウィンドウサイズがアップリンク（ＵＬ）送信機会に対応し、
前記競合ウィンドウサイズに少なくとも部分的に基づいて、クリアチャネルアセスメントを実行するための手段と、
を備える、ワイヤレス通信のための装置。
【請求項２２】
ワイヤレス通信のためのコンピュータ実行可能コードを記憶する非一時的コンピュータ可読媒体であって、前記コードが、請求項１乃至１９のいずれか一項に記載の方法を実行するためにプロセッサによって実行可能である、非一時的コンピュータ可読媒体。
【手続補正２】
【補正対象書類名】明細書
【補正対象項目名】０２００
【補正方法】変更
【補正の内容】
【０２００】
[0210]本明細書の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、
を備える、ワイヤレス通信のための方法。
［Ｃ２］
前記第１のパラメータが、１つまたは複数の送信機会のためのハイブリッド自動再送要求（ＨＡＲＱ）フィードバックを備える、Ｃ１に記載の方法。
［Ｃ３］
前記第１の競合ウィンドウ調整値が、前記ＨＡＲＱフィードバック中の否定応答（ＮＡＣＫ）の数に少なくとも部分的に基づく、Ｃ２に記載の方法。
［Ｃ４］
前記第１の重み付けファクタは、前記ＨＡＲＱフィードバックが多重化モードにあるかどうかに少なくとも部分的に基づく、Ｃ３に記載の方法。
［Ｃ５］
前記多重化モードでの肯定応答（ＡＣＫ）またはＮＡＣＫの数を報告することをさらに備え、ここにおいて、前記第１の重み付けファクタが、前記ＨＡＲＱフィードバック中のＮＡＣＫの前記数に少なくとも部分的に基づく、
Ｃ４に記載の方法。
［Ｃ６］
前記第１の競合ウィンドウ調整値を決定することが、ルックアップテーブルを使用して前記第１の競合ウィンドウ調整値を決定することを備え、ここにおいて、前記ルックアップテーブルが、前記第１の送信のフレーム構造に少なくとも部分的に基づく、Ｃ３に記載の方法。
［Ｃ７］
前記第１の送信がライセンスされているスペクトル中にある、Ｃ２に記載の方法。
［Ｃ８］
前記第１のパラメータが、前記第１の送信のフレーム構造に少なくとも部分的に基づく、Ｃ１に記載の方法。
［Ｃ９］
前記第１のパラメータが、少なくとも１つの報告されない肯定応答を備える、Ｃ１に記載の方法。
［Ｃ１０］
報告されるＮＡＣＫの場合とは別様に、前記少なくとも１つの報告されない肯定応答について前記第１の競合ウィンドウ調整値に前記第１の重み付けファクタを適用すること
をさらに備える、Ｃ９に記載の方法。
［Ｃ１１］
報告されるＮＡＣＫと同様にして、前記少なくとも１つの報告されない肯定応答について前記第１の競合ウィンドウ調整値に前記第１の重み付けファクタを適用すること
をさらに備える、Ｃ９に記載の方法。
［Ｃ１２］
前記競合ウィドウサイズがアップリンク（ＵＬ）送信機会に対応し、
１つまたは複数のキャリア上で前記第１の送信を送信すること、
Ｃ１に記載の方法。
［Ｃ１３］
前記第１のパラメータを決定することは、物理アップリンク制御チャネル（ＰＵＣＣＨ）が正常に復号されたかどうかを決定することを備える、Ｃ１２に記載の方法。
［Ｃ１４］
前記競合ウィンドウサイズは、前記ＵＬ送信機会が、自己スケジュールされるのかクロスキャリアスケジュールされるのかに少なくとも部分的に基づいて調整される、Ｃ１２に記載の方法。
［Ｃ１５］
前記競合ウィンドウサイズが前記１つまたは複数のキャリアについて異なる、Ｃ１２に記載の方法。
［Ｃ１６］
各キャリアについてハイブリッド自動再送要求（ＨＡＲＱ）フィードバックを通して否定応答（ＮＡＣＫ）の数を受信することと、
すべてのキャリアについてＮＡＣＫの前記数に少なくとも部分的に基づいて前記第１の競合ウィンドウ調整値を決定することと、
すべてのキャリアについて第２の送信のための前記競合ウィンドウサイズを調整することと、ここにおいて、前記競合ウィンドウサイズがすべてのキャリアについて同じである、
をさらに備える、Ｃ１２に記載の方法。
［Ｃ１７］
前記１つまたは複数のキャリアが、１次キャリアと１つまたは複数の２次キャリアとを備え、前記方法が、前記１次キャリアに関連するバックオフタイマーを開始することをさらに備え、ここにおいて、前記バックオフタイマーが前記１つまたは複数の２次キャリアに適用される、Ｃ１２に記載の方法。
［Ｃ１８］
前記１つまたは複数の２次キャリアが、前記１次キャリアに対して所定の周波数分離内にある、Ｃ１７に記載の方法。
［Ｃ１９］
前記１つまたは複数の２次キャリアがライセンスされていない情報インフラストラクチャ無線帯域中にある、Ｃ１７に記載の方法。
［Ｃ２０］
２次キャリアの総数が、前記重み付けされた第２の競合ウィンドウ調整値に少なくとも部分的に基づいて調整された所定の数よりも少ない、Ｃ１７に記載の方法。
［Ｃ２１］
前記競合ウィンドウサイズに少なくとも部分的に基づいて、クリアチャネルアセスメントを実行すること
をさらに備える、Ｃ１に記載の方法。
［Ｃ２２］
前記第１の競合ウィンドウ調整値に対応する送信機会に少なくとも部分的に基づいて、前記第１の競合ウィンドウ調整値に前記第１の重み付けファクタを適用すること
をさらに備える、Ｃ１に記載の方法。
［Ｃ２３］
前記第１の競合ウィンドウ調整値に前記第１の重み付けファクタを適用することは、前記対応する送信機会が時間期間外にある前記第１の競合ウィンドウ調整値に、０の第１の重み付けファクタを適用することを備える、Ｃ２２に記載の方法。
［Ｃ２４］
無限インパルス応答フィルタに少なくとも部分的に基づいて、前記第１の競合ウィンドウ調整値に前記第１の重み付けファクタを適用すること
をさらに備える、Ｃ２２に記載の方法。
［Ｃ２５］
前記第１のパラメータに関連するユーザ機器（ＵＥ）に少なくとも部分的に基づいて、前記第１の競合ウィンドウ調整値に前記第１の重み付けファクタを適用すること
をさらに備える、Ｃ１に記載の方法。
［Ｃ２６］
前記第１のパラメータに関連する許可が有効な許可であるかどうかに少なくとも部分的に基づいて、前記第１の競合ウィンドウ調整値に前記第１の重み付けファクタを適用すること
をさらに備える、Ｃ１に記載の方法。
［Ｃ２７］
前記第１の競合ウィンドウ調整値に前記第１の重み付けファクタを適用すること
をさらに備える、Ｃ１に記載の方法。
［Ｃ２８］
前記第１の送信のキャリアとは異なるキャリア上で前記第２の送信を送信することと、
前記競合ウィンドウサイズをリセットすることを控えることと、
をさらに備える、Ｃ１に記載の方法。
［Ｃ２９］
前記第１の送信が１つまたは複数のＵＥに送られ、前記方法が、前記競合ウィンドウサイズをリセットすることをさらに備える、Ｃ１に記載の方法。
［Ｃ３０］
前記競合ウィンドウサイズをリセットすることが、前記第２の送信の後の経過持続時間に少なくとも部分的に基づく、
をさらに備える、Ｃ２９に記載の方法。
［Ｃ３１］
前記第１の送信に関連する前記第１のパラメータを決定することが、前記第１の送信に少なくとも部分的に基づいて、１つまたは複数のＵＥの各々から少なくとも１つの肯定応答（ＡＣＫ）インジケーションを受信することをさらに備える、Ｃ１に記載の方法。
［Ｃ３２］
前記第１の送信に少なくとも部分的に基づいて、肯定応答（ＡＣＫ）および否定応答（ＮＡＣＫ）インジケーションを受信することと、
前記第１の送信に関連する前記第１のパラメータを決定することと、ここにおいて、前記第１のパラメータが、サポートされるユーザ機器（ＵＥ）の総数に対するＡＣＫの割合を含む、
をさらに備える、Ｃ１に記載の方法。
［Ｃ３３］
前記第１のパラメータに関連する、送信機会のサイズまたはリソース割振りに少なくとも部分的に基づいて、前記第１の競合ウィンドウ調整値に前記第１の重み付けファクタを適用すること
をさらに備える、Ｃ１に記載の方法。
［Ｃ３４］
１つまたは複数のＵＥの各々から少なくとも１つのＡＣＫインジケーションを受信すること
をさらに備える、Ｃ１に記載の方法。
［Ｃ３５］
前記第１のパラメータに関連するブロックエラーレート（ＢＬＥＲ）ターゲットに少なくとも部分的に基づいて、前記第１の競合ウィンドウ調整値に前記第１の重み付けファクタを適用すること
をさらに備える、Ｃ１に記載の方法。
［Ｃ３６］
ＵＥの数がしきい値よりも大きく、前記方法が、所定の割合のＵＥから少なくとも１つのＡＣＫインジケーションを受信することをさらに備える、Ｃ１に記載の方法。
［Ｃ３７］
前記第１の送信が１つまたは複数のＵＥに送られ、前記方法が、前記１つまたは複数のＵＥのための前記競合ウィンドウサイズに少なくとも部分的に基づいて、前記１つまたは複数のＵＥをＵＥの１つまたは複数のグループに分割することをさらに備え、
前記方法が、ＵＥの前記１つまたは複数のグループのためのカウンタをランダムに生成することと、
ＵＥの前記１つまたは複数のグループのための前記カウンタを開始することと、
それらのカウンタが満了したＵＥのグループに前記第２の送信を送信することと、
をさらに備える、Ｃ１に記載の方法。
［Ｃ３８］
ＵＥの２つまたはそれ以上のグループからＵＥの第１のグループをランダムに選定することと、ここにおいて、ＵＥの前記２つまたはそれ以上のグループの前記カウンタが同じ値である、
ＵＥの前記第１のグループに前記第２の送信を送信することと、
をさらに備える、Ｃ３７に記載の方法。
［Ｃ３９］
前記第２の送信の後に、ＵＥの前記１つまたは複数のグループのための前記カウンタをランダムに再生成すること
をさらに備える、Ｃ３７に記載の方法。
［Ｃ４０］
それらのカウンタが満了したＵＥの前記グループのための前記カウンタの前記満了に少なくとも部分的に基づいて、ＵＥの前記１つまたは複数のグループの前記カウンタを停止することと、
第３の送信のためにＵＥの前記１つまたは複数のグループのための前記カウンタの値を保持することと、
をさらに備える、Ｃ３７に記載の方法。
［Ｃ４１］
前記第１のパラメータが、ＰＵＣＣＨ中で受信された干渉インジケーションを備える、Ｃ１に記載の方法。
［Ｃ４２］
キャリアアグリゲーション構成または多地点協調構成に少なくとも部分的に基づいて、前記第１の競合ウィンドウ調整値に前記第１の重み付けファクタを適用すること
をさらに備える、Ｃ１に記載の方法。
［Ｃ４３］
前記第１のパラメータがブロードキャストチャネルに対応するかどうかに少なくとも部分的に基づいて、前記第１の競合ウィンドウ調整値に前記第１の重み付けファクタを適用すること
をさらに備える、Ｃ１に記載の方法。
［Ｃ４４］
前記第１のパラメータが、干渉消去をインプリメントするまたはインプリメントすることが可能なユーザ機器（ＵＥ）に対応するかどうかに少なくとも部分的に基づいて、前記第１の競合ウィンドウ調整値に前記第１の重み付けファクタを適用すること
をさらに備える、Ｃ１に記載の方法。
［Ｃ４５］
前記競合ウィドウサイズが、前記第１のパラメータに対応する１つまたは複数のＤＬ送信機会に続くＤＬ送信機会に対応する、Ｃ１に記載の方法。
［Ｃ４６］
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行することと、
を備える、ワイヤレス通信のための方法。
［Ｃ４７］
前記基地局に前記メッセージを送信することは、ダウンリンク送信における少なくとも１つのトランスポートブロックが正常に復号されたことを示すビットを送信することを備え、前記競合ウィンドウサイズが、前記送信されたビットに少なくとも部分的に基づく、Ｃ４６に記載の方法。
［Ｃ４８］
前記基地局に前記メッセージを送信することは、ダウンリンク送信における少なくとも１つのコードブロックが正常に復号されたことを示すビットを送信することを備え、前記競合ウィンドウサイズが、前記送信されたビットに少なくとも部分的に基づく、Ｃ４６に記載の方法。
［Ｃ４９］
前記基地局に前記メッセージを送信することが、物理アップリンク共有チャネル（ＰＵＳＣＨ）上でデータを送信することを備える、Ｃ４６に記載の方法。
［Ｃ５０］
ダウンリンク送信中の衝突を検出すること
をさらに備え、
前記基地局に前記メッセージを送信することが、前記衝突を示すビットを送信することを備え、前記競合ウィンドウサイズが、前記送信されたビットに少なくとも部分的に基づく、Ｃ４６に記載の方法。
［Ｃ５１］
プロセッサと、
前記プロセッサと電子通信しているメモリと、
を備える、ワイヤレス通信のための装置であって、
前記プロセッサおよびメモリが、
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、
を行うように構成された、装置。
［Ｃ５２］
プロセッサと、
前記プロセッサと電子通信しているメモリと、
を備える、ワイヤレス通信のための装置であって、
前記プロセッサおよびメモリは、
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行することと、
を行うように構成された、装置。
［Ｃ５３］
第１の送信に関連する第１のパラメータを決定するための手段と、
前記第１のパラメータに少なくとも部分的に基づいて、第１の競合ウィンドウ調整値を決定するための手段と、
前記第１の競合ウィンドウ調整値に第１の重み付けファクタを適用するための手段と、
前記重み付けされた第１の競合ウィンドウ調整値に少なくとも部分的に基づいて、第２の送信のための競合ウィンドウサイズを調整するための手段と、
を備える、ワイヤレス通信のための装置。
［Ｃ５４］
前記競合ウィドウサイズがアップリンク（ＵＬ）送信機会に対応し、前記装置が、
１つまたは複数のキャリア上で前記第１の送信を送信するための手段
をさらに備える、Ｃ５３に記載の装置。
［Ｃ５５］
前記第１のパラメータを決定するための前記手段は、
物理アップリンク制御チャネル（ＰＵＣＣＨ）が正常に復号されたかどうかを決定するための手段
を備える、Ｃ５４に記載の装置。
［Ｃ５６］
各キャリアについてハイブリッド自動再送要求（ＨＡＲＱ）フィードバックを通して否定応答（ＮＡＣＫ）の数を受信するための手段と、
すべてのキャリアについてＮＡＣＫの前記数に少なくとも部分的に基づいて前記第１の競合ウィンドウ調整値を決定するための手段と、
すべてのキャリアについて第２の送信のための前記競合ウィンドウサイズを調整するための手段と、ここにおいて、前記競合ウィンドウサイズがすべてのキャリアについて同じである、
をさらに備える、Ｃ５４に記載の装置。
［Ｃ５７］
前記１つまたは複数のキャリアが、１次キャリアと１つまたは複数の２次キャリアとを備え、前記装置が、
前記１次キャリアに関連するバックオフタイマーを開始するための手段をさらに備え、ここにおいて、前記バックオフタイマーが前記１つまたは複数の２次キャリアに適用される、Ｃ５４に記載の装置。
［Ｃ５８］
前記競合ウィンドウサイズに少なくとも部分的に基づいて、クリアチャネルアセスメントを実行するための手段
をさらに備える、Ｃ５３に記載の装置。
［Ｃ５９］
前記第１の競合ウィンドウ調整値に対応する送信機会に少なくとも部分的に基づいて、前記第１の競合ウィンドウ調整値に前記第１の重み付けファクタを適用するための手段
をさらに備える、Ｃ５３に記載の装置。
［Ｃ６０］
前記第１の競合ウィンドウ調整値に前記第１の重み付けファクタを適用するための前記手段は、
前記対応する送信機会が時間期間外にある前記第１の競合ウィンドウ調整値に、０の第１の重み付けファクタを適用するための手段
を備える、Ｃ５９に記載の装置。
［Ｃ６１］
無限インパルス応答フィルタに少なくとも部分的に基づいて、前記第１の競合ウィンドウ調整値に前記第１の重み付けファクタを適用するための手段
をさらに備える、Ｃ５９に記載の装置。
［Ｃ６２］
前記第１のパラメータに関連するユーザ機器（ＵＥ）に少なくとも部分的に基づいて、前記第１の競合ウィンドウ調整値に前記第１の重み付けファクタを適用するための手段
をさらに備える、Ｃ５３に記載の装置。
［Ｃ６３］
前記第１のパラメータに関連する許可が有効な許可であるかどうかに少なくとも部分的に基づいて、前記第１の競合ウィンドウ調整値に前記第１の重み付けファクタを適用するための手段
をさらに備える、Ｃ５３に記載の装置。
［Ｃ６４］
前記第１の送信のキャリアとは異なるキャリア上で前記第２の送信を送信するための手段と、
前記競合ウィンドウサイズをリセットすることを控えるための手段と、
をさらに備える、Ｃ５３に記載の装置。
［Ｃ６５］
前記第１の送信が１つまたは複数のＵＥに送られ、前記装置が、
前記競合ウィンドウサイズをリセットするための手段
をさらに備える、Ｃ５３に記載の装置。
［Ｃ６６］
前記第１の送信に関連する前記第１のパラメータを決定するための前記手段が、
前記第１の送信に少なくとも部分的に基づいて、前記１つまたは複数のＵＥの各々から少なくとも１つの肯定応答（ＡＣＫ）インジケーションを受信するための手段
をさらに備える、Ｃ６５に記載の装置。
［Ｃ６７］
前記１つまたは複数のＵＥの各々から少なくとも１つのＡＣＫインジケーションを受信するための手段
をさらに備える、Ｃ６５に記載の装置。
［Ｃ６８］
前記競合ウィンドウサイズをリセットするための手段が、前記第２の送信の後の経過持続時間に少なくとも部分的に基づく、
をさらに備える、Ｃ５３に記載の装置。
［Ｃ６９］
前記第１の送信に少なくとも部分的に基づいて、肯定応答（ＡＣＫ）および否定応答（ＮＡＣＫ）インジケーションを受信するための手段と、
前記第１の送信に関連する前記第１のパラメータを決定するための手段と、ここにおいて、前記第１のパラメータが、サポートされるユーザ機器（ＵＥ）の総数に対するＡＣＫの割合を含む、
をさらに備える、Ｃ５３に記載の装置。
［Ｃ７０］
前記第１のパラメータに関連する、送信機会のサイズまたはリソース割振りに少なくとも部分的に基づいて、前記第１の競合ウィンドウ調整値に前記第１の重み付けファクタを適用するための手段
をさらに備える、Ｃ５３に記載の装置。
［Ｃ７１］
前記第１のパラメータに関連するブロックエラーレート（ＢＬＥＲ）ターゲットに少なくとも部分的に基づいて、前記第１の競合ウィンドウ調整値に前記第１の重み付けファクタを適用するための手段
をさらに備える、Ｃ５３に記載の装置。
［Ｃ７２］
前記第１の送信が１つまたは複数のＵＥに送られ、前記装置は、
前記１つまたは複数のＵＥのための前記競合ウィンドウサイズに少なくとも部分的に基づいて、前記１つまたは複数のＵＥをＵＥの１つまたは複数のグループに分割するための手段と、
ＵＥの前記１つまたは複数のグループのためのカウンタをランダムに生成するための手段と、
ＵＥの前記１つまたは複数のグループのための前記カウンタを開始するための手段と、
それらのカウンタが満了したＵＥのグループに前記第２の送信を送信するための手段と、
をさらに備える、Ｃ５３に記載の装置。
［Ｃ７３］
ＵＥの２つまたはそれ以上のグループからＵＥの第１のグループをランダムに選定するための手段と、ここにおいて、ＵＥの前記２つまたはそれ以上のグループの前記カウンタが同じ値である、
ＵＥの前記第１のグループに前記第２の送信を送信するための手段と、
をさらに備える、Ｃ７２に記載の装置。
［Ｃ７４］
前記第２の送信の後に、ＵＥの前記１つまたは複数のグループのための前記カウンタをランダムに再生成するための手段
をさらに備える、Ｃ７２に記載の装置。
［Ｃ７５］
それらのカウンタが満了したＵＥの前記グループのための前記カウンタの前記満了に少なくとも部分的に基づいて、ＵＥの前記１つまたは複数のグループの前記カウンタを停止するための手段と、
第３の送信のためにＵＥの前記１つまたは複数のグループのための前記カウンタの値を保持するための手段と、
をさらに備える、Ｃ７２に記載の装置。
［Ｃ７６］
キャリアアグリゲーション構成または多地点協調構成に少なくとも部分的に基づいて、前記第１の競合ウィンドウ調整値に前記第１の重み付けファクタを適用するための手段
をさらに備える、Ｃ５３に記載の装置。
［Ｃ７７］
前記第１のパラメータがブロードキャストチャネルに対応するかどうかに少なくとも部分的に基づいて、前記第１の競合ウィンドウ調整値に前記第１の重み付けファクタを適用するための手段
をさらに備える、Ｃ５３に記載の装置。
［Ｃ７８］
前記第１のパラメータが、干渉消去をインプリメントするまたはインプリメントすることが可能なユーザ機器（ＵＥ）に対応するかどうかに少なくとも部分的に基づいて、前記第１の競合ウィンドウ調整値に前記第１の重み付けファクタを適用するための手段
をさらに備える、Ｃ５３に記載の装置。
［Ｃ７９］
基地局にメッセージを送信するための手段と、
前記基地局から競合ウィンドウサイズを受信するための手段と、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行するための手段と、
を備える、ワイヤレス通信のための装置。
［Ｃ８０］
ワイヤレス通信のためのコンピュータ実行可能コードを記憶する非一時的コンピュータ可読媒体であって、前記コードが、
第１の送信に関連する第１のパラメータを決定することと、
前記第１のパラメータに少なくとも部分的に基づいて、第１の競合ウィンドウ調整値を決定することと、
前記第１の競合ウィンドウ調整値に第１の重み付けファクタを適用することと、
前記重み付けされた第１の競合ウィンドウ調整値に少なくとも部分的に基づいて、第２の送信のための競合ウィンドウサイズを調整することと、
を行うためにプロセッサによって実行可能である、非一時的コンピュータ可読媒体。
［Ｃ８１］
ワイヤレス通信のためのコンピュータ実行可能コードを記憶する非一時的コンピュータ可読媒体であって、前記コードは、
基地局にメッセージを送信することと、
前記基地局から競合ウィンドウサイズを受信することと、ここにおいて、前記競合ウィンドウサイズが、前記メッセージに少なくとも部分的に基づいて、第１の競合ウィンドウ調整値に適用される第１の重み付けファクタを使用して計算される、
前記競合ウィンドウサイズに少なくとも部分的に基づいて、クリアチャネルアセスメントを実行することと、
を行うためにプロセッサによって実行可能である、非一時的コンピュータ可読媒体。